(57)【特許請求の範囲】
【請求項１】
測定電圧源が接続されたプラス側及びマイナス側の測定端子を備え、測定端子に測定ケーブルのプラグを差し込み、測定ケーブルの他端を試料に接続して、測定電圧源から電圧を試料に印加し、試料に流れる電流を測定することにより試料の抵抗を測定する絶縁計において、
前記プラス側及びマイナス側の測定端子に差し込まれた測定ケーブルのプラグが前記測定端子から抜け出たことを検知するためのプラグ抜け検出手段を有し、
前記測定電圧源の電圧回路と前記測定端子との間にスイッチ回路を設置し、
前記プラグ抜け検出手段により、測定ケーブルのプラグが測定端子から抜け出たことを検知した場合には、前記測定電圧源の高圧制御部を介して前記測定電圧源の電圧回路からの出力をゼロとすると共に、前記高圧制御部を介して前記スイッチ回路の出力制御スイッチをもＯＦＦとすることを特徴とする絶縁計。
【請求項２】
前記プラグ抜け検出手段は、
（ａ）制御装置を介して前記測定電圧源の高圧制御部に接続されており、前記プラグ抜け検出手段からの信号は前記制御装置に送信され、前記制御装置により前記高圧制御部を制御し、前記高圧制御部により前記スイッチ回路の出力制御スイッチをＯＦＦとし、且つ電圧回路の高圧電源の出力をゼロとするか、又は、
（ｂ）制御装置を介さずに前記測定電圧源の高圧制御部に直接接続されており、前記プラグ抜け検出手段からの信号は前記高圧制御部に送信され、前記高圧制御部により前記スイッチ回路の出力制御スイッチをＯＦＦとし、且つ電圧回路の高圧電源の出力をゼロとする、
ことを特徴とする請求項１の絶縁計。
【請求項３】
前記測定端子は、測定ケーブルのプラグの軸部を受容するソケット部と、前記プラグの先端接続子と電気的に接続する接続穴部とを備え、前記ソケット部に前記プラグ抜け検出手段が設けられることを特徴とする請求項１又は２に記載の絶縁計。
【請求項４】
前記プラグ抜け検出手段は、作動片を備えたスイッチとされ、作動片は前記ソケット部へと突出しており、プラグが前記ソケット部へと差し込まれた場合には、プラグの軸部により押圧されてスイッチをＯＮ状態とし、プラグを前記ソケット部から抜き出した場合には、プラグの軸部による押圧が解除されてスイッチをＯＦＦ状態とすることを特徴とする請求項３の絶縁計。
【発明の詳細な説明】
【０００１】
【発明の属する技術分野】
本発明は、電子機器、電子部品或いは絶縁材料などの絶縁抵抗値を測定するための絶縁計に関するものである。
【０００２】
【従来の技術】
従来、電子機器、電子部品或いは絶縁材料などの絶縁抵抗値を測定するために絶縁計が使用されているが、絶縁計は、一般的には図７に示す構成とされる高抵抗測定器である。
【０００３】
つまり、絶縁計１Ａは、測定電圧源１０と、この測定電圧源１０に直列に接続された高感度電流計２０とを有する。絶縁計１Ａには、測定電圧源１０のプラス（＋）側に接続されたプラス（＋）側測定端子２と、高感度電流計２０に接続されたマイナス（−）側測定端子３が設けられている。プラス（＋）側測定端子２及びマイナス（−）側測定端子３には、それぞれ測定ケーブル１０１、１０２のプラス（＋）側プラグ１０３及びマイナス（−）側プラグ１０４が差し込まれ、測定ケーブル１０１、１０２の他端は、電気機器などの試料２００に接続される。この状態で、測定電圧源１０から試料２００に所定の電圧を印加し、試料２００に流れる電流を高感度電流計２０にて測定し、試料２００の抵抗を測定する。
【０００４】
【発明が解決しようとする課題】
従来の上記構成とされる絶縁計１Ａにおいては、測定ケーブル１０１、１０２のプラグ１０３、１０４は、絶縁計１Ａのプラス（＋）側測定端子２及びマイナス（−）側測定端子３に挿入するタイプのものであり、不用意に測定ケーブル１０１、１０２を引っ張ることにより、測定ケーブル１０１、１０２のプラグ１０３、１０４が絶縁計１Ａの測定端子２、３から抜けることがある。
【０００５】
絶縁計は高電圧の測定電圧を出力し、又、測定電圧のＯＮ・ＯＦＦは測定者が操作スイッチにて行うため、測定中に測定ケーブルが抜けると測定者に不測の危険を及ぼす可能性がある。そのために、測定者は、測定中の測定ケーブルのプラグが絶縁計の測定端子から抜けないように常に注意を払う必要があり、測定作業に専念できず作業性においても問題があった。
【０００６】
従って、本発明の目的は、測定中に測定ケーブルが抜けても測定者に危険が及ぶことがなく、測定者の安全を確保することのできる絶縁計を提供することである。
【０００７】
本発明の他の目的は、測定者が測定中に測定ケーブルの抜けを心配する必要がなく、測定に専念することができ、作業性の向上を図ることのできる絶縁計を提供することである。
【０００８】
【課題を解決するための手段】
上記目的は本発明に係る絶縁計にて達成される。要約すれば、本発明は、測定電圧源が接続されたプラス側及びマイナス側の測定端子を備え、測定端子に測定ケーブルのプラグを差し込み、測定ケーブルの他端を試料に接続して、測定電圧源から電圧を試料に印加し、試料に流れる電流を測定することにより試料の抵抗を測定する絶縁計において、
前記プラス側及びマイナス側の測定端子に差し込まれた測定ケーブルのプラグが前記測定端子から抜け出たことを検知するためのプラグ抜け検出手段を有し、
前記測定電圧源の電圧回路と前記測定端子との間にスイッチ回路を設置し、
前記プラグ抜け検出手段により、測定ケーブルのプラグが測定端子から抜け出たことを検知した場合には、前記測定電圧源の高圧制御部を介して前記測定電圧源の電圧回路からの出力をゼロとすると共に、前記高圧制御部を介して前記スイッチ回路の出力制御スイッチをもＯＦＦとすることを特徴とする絶縁計である。
【０００９】
本発明の一実施態様によると、前記プラグ抜け検出手段は、
（ａ）制御装置を介して前記測定電圧源の高圧制御部に接続されており、前記プラグ抜け検出手段からの信号は前記制御装置に送信され、前記制御装置により前記高圧制御部を制御し、前記高圧制御部により前記スイッチ回路の出力制御スイッチをＯＦＦとし、且つ電圧回路の高圧電源の出力をゼロとするか、又は、
（ｂ）制御装置を介さずに前記測定電圧源の高圧制御部に直接接続されており、前記プラグ抜け検出手段からの信号は前記高圧制御部に送信され、前記高圧制御部により前記スイッチ回路の出力制御スイッチをＯＦＦとし、且つ電圧回路の高圧電源の出力をゼロとする。
【００１０】
本発明の他の実施態様によると、前記測定端子は、測定ケーブルのプラグの軸部を受容するソケット部と、前記プラグの先端接続子と電気的に接続する接続穴部とを備え、前記ソケット部に前記プラグ抜け検出手段が設けられる。又、好ましくは、前記プラグ抜け検出手段は、作動片を備えたスイッチとされ、作動片は前記ソケット部へと突出しており、プラグが前記ソケット部へと差し込まれた場合には、プラグの軸部により押圧されてスイッチをＯＮ状態とし、プラグを前記ソケット部から抜き出した場合には、プラグの軸部による押圧が解除されてスイッチをＯＦＦ状態とする。
【００１１】
【発明の実施の形態】
以下、本発明に係る絶縁計を図面に則して更に詳しく説明する。
【００１２】
実施例１
図１に、本発明に係る絶縁計の全体構成を示す。本実施例によると、絶縁計１は、従来と同様に、測定電圧源１０と、この測定電圧源１０に直列に接続された高感度電流計とされる測定部２０とを有する。又、絶縁計１には、測定電圧源１０のプラス（＋）側に接続されたプラス（＋）側測定端子２と、高感度電流計２０に接続されたマイナス（−）側測定端子３が設けられており、プラス（＋）側測定端子２及びマイナス（−）側測定端子３には、それぞれ測定ケーブル１０１、１０２のプラス（＋）側プラグ１０３及びマイナス（−）側プラグ１０４が差し込まれ、測定ケーブル１０１、１０２の他端は、電気機器などの試料２００に接続される。
【００１３】
図３に、絶縁計１の一実施例に係る電気回路の概略構成を示す。測定電圧源１０は、例えば高圧電源などとされる電源を備えた電圧回路１１と、制御スイッチを備えたスイッチ回路１２と、高圧制御部１３とを有する。電圧回路１１のマイナス（−）側はスイッチ回路１２を介して測定部２０に接続され、電圧回路１１のプラス（＋）側はプラス側切換スイッチ５に接続される。高感度電流計とされる測定部２０は、マイナス側切換スイッチ６に接続された電流−電圧変換器２１を備えており、電流−電圧変換器２１は、直流増幅器２２及びＡ／Ｄ変換器２３を介して制御装置（ＣＰＵ）３０に接続される。制御装置３０には、液晶表示装置３１、ＲＳ２３２Ｃ装置３２、キー基板３３などが付設されている。又、本実施例の絶縁計１は、放電部４１及び放電制御部４２を備えた放電手段４０を備え、制御装置３０にて制御される。
【００１４】
本実施例によれば、プラス側切換スイッチ５及びマイナス側切換スイッチ６は、連動して測定、充電、放電の三段階に切り換えることのできる充放電スイッチとされる。従って、例えばコンデンサなどの容量性試料を測定する場合には、「充電」で試料に電圧を印加し、測定の予備充電を行い、次に、「測定」に切り換えて測定を行い、測定終了後に、「放電」に切り換えて、試料に充電された電荷を放電することができる。
【００１５】
本実施例によれば、上記充放電スイッチ５、６と協働する絶縁計１に設置された上記プラス側測定端子２及びマイナス側測定端子３は、図２に示すように、測定ケーブル１０１、１０２のプラス側プラグ１０３及びマイナス側プラグ１０４の軸部１０３Ａ、１０４Ａを受容するソケット部２Ａ、３Ａと、各プラグの先端接続子１０３Ｂ、１０４Ｂと電気的に接続する接続穴部２Ｂ、３Ｂとを備えている。
【００１６】
更に、本発明によれば、ソケット部２Ａ、３Ａにプラグの抜き差しを検出するためのプラグ抜け検出手段４が設けられる。プラグ抜け検出手段４は、例えば作動片４Ａを備えたスイッチとされ、作動片４Ａは、ソケット部２Ａ、３Ａへと突出しており、プラグ１０３、１０４がソケット部２Ａ、３Ａへと差し込まれた場合には、プラグ１０３、１０４の軸部１０３Ａ、１０４Ａにより押圧され、スイッチ４をＯＮ状態とし、プラグ１０３、１０４をソケット部から抜き出した場合には、プラグ軸部１０３Ａ、１０４Ａからの押圧力が解除され、スイッチ４をＯＦＦ状態とする。本実施例では、各ソケット部２Ａ、３Ａにそれぞれ配置された２個のスイッチ４は、図示するように直列接続とされ、どちらのプラグが抜けてもプラグ抜け検出手段４はＯＦＦであると判定する。
【００１７】
又、本発明では、図４を参照すると理解されるように、上記プラグ抜け検出手段４は、制御装置３０を介して高圧制御部１３に接続されており、高圧制御部１３は、プラグ抜け検出手段４からの信号に応じて、スイッチ回路１２の出力制御スイッチ及び電圧回路１１の高圧電源を制御する。即ち、いずれか一方の、或いは両方のプラグがソケット部から抜けた場合には、いずれかの或いは両方のスイッチがＯＦＦとされ、それによって、出力制御スイッチをＯＦＦとし、且つ高圧電源からの出力が０Ｖとされる。
【００１８】
上記構成の本発明に係る絶縁計の作動について図６に示すフロー図を参照して説明する。
【００１９】
測定ケーブル１０１、１０２を試料２００に接続して測定を開始する（ステップ１）。測定ケーブル１０１、１０２が両測定端子２、３に確実に接続されているか否かを検出スイッチ４にて確認する（ステップ２）。検出スイッチ４にて測定ケーブル１０１、１０２の接続が確実になされていない場合には、高圧制御部１３を介してスイッチ回路１２の出力制御スイッチをＯＦＦとし、且つ電圧回路１１の高圧電源からの出力を０Ｖとし（ステップ６）、終了する（ステップ７）。
【００２０】
検出スイッチ４にて測定ケーブル１０１、１０２の接続が確実に行われている場合には、測定作業に進む（ステップ３）。測定作業中に測定ケーブル１０１、１０２が抜けた場合には、直ちに検出スイッチ４がこれを検出し（ステップ４）、高圧制御部１３を介してスイッチ回路１２の出力制御スイッチをＯＦＦとし、且つ電圧回路１１の高圧電源からの出力を０Ｖとし（ステップ６）、終了する（ステップ７）。
【００２１】
上記ステップ３〜５を繰り返し、測定作業中に測定ケーブル１０１、１０２が抜けることなく測定作業が終了すると、高圧制御部１３を介してスイッチ回路１２の出力制御スイッチをＯＦＦとし、且つ電圧回路１１の高圧電源からの出力を０Ｖとし（ステップ６）、終了する（ステップ７）。
【００２２】
実施例２
図５に、本発明の他の実施例を示す。上記実施例１においては、プラグ抜け検出手段４からの信号は、制御装置３０に送信され、制御装置３０により高圧制御部１３を制御し、スイッチ回路１２の出力制御スイッチをＯＦＦとし、且つ電圧回路１１の高圧電源からの出力を０Ｖとする構成とされた。本実施例においては、制御装置３０が何らかの要因によって制御不能となった場合を考えて、上記プラグ抜け検出手段４は、制御装置３０を介さずに直接高圧制御部１３に接続されている。その他の構成は、実施例１と同様とされる。
【００２３】
従って、本実施例によれば、高圧制御部１３は、プラグ抜け検出手段４からの信号に応じて、スイッチ回路１２の出力制御スイッチを制御する。即ち、いずれか一方の、或いは両方のプラグがソケット部から抜けた場合には、いずれかの或いは両方のスイッチがＯＦＦとされ、それによって、例えば、スイッチ回路１２に設けられたトランジスタ１４のベース電圧がＯＦＦとなり、出力制御スイッチ１５がＯＦＦとされる。
【００２４】
【発明の効果】
以上説明したように、本発明の絶縁計は、測定電圧源が接続されたプラス側及びマイナス側の測定端子を備え、測定端子に測定ケーブルのプラグを差し込み、測定ケーブルの他端を試料に接続して、測定電圧源から電圧を試料に印加し、試料に流れる電流を測定することにより試料の抵抗を測定する絶縁計において、プラス側及びマイナス側の測定端子に差し込まれた測定ケーブルのプラグが測定端子から抜け出たことを検知するためのプラグ抜け検出手段を有し、測定電圧源の電圧回路と前記測定端子との間にスイッチ回路を設置し、プラグ抜け検出手段により、測定ケーブルのプラグが測定端子から抜け出たことを検知した場合には、測定電圧源の高圧制御部を介して測定電圧源の電圧回路からの出力をゼロとすると共に、高圧制御部を介してスイッチ回路の出力制御スイッチをもＯＦＦとする構成とされるので、
（１）測定中に測定ケーブルが抜けても測定者に危険が及ぶことがなく、測定者の安全を確保することができる。
（２）測定者が測定中に測定ケーブルの抜けを心配する必要がなく、測定に専念することができ、作業性の向上を図ることができる。
といった効果を奏し得る。
【図面の簡単な説明】
【図１】本発明に係る絶縁計の全体構成を示す図である。
【図２】プラグ抜け検出手段の一実施例を示す断面図である。
【図３】本発明に係る絶縁計の電気回路の概略構成を示す図である。
【図４】本発明に係る絶縁計の高圧制御部の概略構成を示す図である。
【図５】本発明に係る絶縁計の高圧制御部の他の実施例の概略構成を示す図である。
【図６】本発明に係る絶縁計の作動を説明するためのフロー図である。
【図７】従来の絶縁計の全体構成を示す図である。
【符号の説明】
１                          絶縁計
２、３                      測定端子
４                          プラグ抜け検出手段
５、６                      切換スイッチ
１０                        測定電圧源
１１                        電圧回路
１２                        スイッチ回路
１３                        高圧制御部
２０                        測定部
３０                        制御装置
１０１、１０２              測定ケーブル
１０３、１０４              プラグ
２００                      試料
【図１】
0004141545.tif 000002
【図２】
0004141545.tif 000003
【図３】
0004141545.tif 000004
【図４】
0004141545.tif 000005
【図５】
0004141545.tif 000006
【図６】
0004141545.tif 000007
【図７】
0004141545.tif 000008